(57)【要約】【課題】  支柱の上部または下部に、防風雪板を折り畳め自在にした防風雪柵を提供すること。【解決手段】  複数の防風雪板ユニット３９を支柱１に沿って移動させて折り畳み可能な防風雪柵において、支柱１の上部および下部の複数箇所に、着脱可能な支承用係合具により、複数の防風雪板ユニット３９を支柱１の上部または下部の複数箇所に位置調整自在に折り畳み収納可能としたことを特徴とする防風雪柵。  支柱１の上部および下部の複数箇所に着脱可能な支承金具を支承するための横孔からなる支承部が設けられ、また、前記着脱自在な支承金具は、ピンまたはボルトを備えた支承金具とした。【選択図】図１
2005163500.tif 000002
【特許請求の範囲】
【請求項１】
複数の防風雪板ユニットを支柱に沿って移動させて折り畳み可能な防風雪柵において、支柱の上部および下部の複数箇所に、着脱可能な支承金具により、複数の防風雪板ユニットを支柱の上部または下部の複数箇所に位置調整自在に折り畳み収納可能としたことを特徴とする防風雪柵。
【請求項２】
支柱の上部および下部の複数箇所の折り畳み収納部に、着脱可能な支承金具を支承するための横孔からなる支承部が設けられ、また、前記着脱自在な支承金具は、ピンまたはボルトを備えた支承金具としたことを特徴とする請求項１に記載の防風雪柵。
【請求項３】
Ｈ形鋼からなる支柱のウエブとその両側のフランジにより形成される溝内の上部および下部の複数箇所に、複数の防風雪板ユニットの折り畳み収納部が設けられ、前記各折り畳み収納部は、一方のフランジから他方のフランジに向かって接近するように傾斜する傾斜ガイド部と、前記他方のフランジに間隔をおいてほぼ平行な長尺の位置規制支承部材を有するガイド部付き位置規制支承部材が設けられ、かつ、上部の折り畳み収納部の下端部に設けられた傾斜ガイド部は、一方のフランジに向かって下向きに傾斜する傾斜ガイド部とされ、下部の折り畳み収納部の上端部に設けられたガイド部は前記一方のフランジに向かって上向きに傾斜する傾斜ガイド部とされ、前記傾斜ガイド部付き支承部材と前記他方の支柱フランジとの間に、防風雪板ユニットの端部の支承板が支承されていることを特徴とする請求項１または２に記載の防風雪柵。
【請求項４】
上位に位置する防風雪板ユニットの巾方向端部の横軸と、下位に位置する防風雪板ユニットの巾方向中央部の支軸とは、リンクを介して連結されていることを特徴とする請求項１〜３のいずれかに記載の防風雪柵。
【請求項５】
前記横軸は、支柱の外表面側に突出された横軸とされて、防風雪板ユニットが展開された状態では、前記横軸が支柱の後部外表面に係合されて防風雪板ユニットの展開姿勢を規制していることを特徴とする請求項４に記載の防風雪柵。
【請求項６】
Ｈ形鋼からなる支柱におけるウエブとその両側のフランジにより形成される溝内で、上部の折り畳み収納部と下部の折り畳み収納部との中間部に上下方向に間隔をおいて、上部に後部フランジに向かって下向きに傾斜する上部ガイド部と、下部に後部フランジに向かって上向きに傾斜する下部ガイド部と、上部ガイド部と下部ガイド部とを接続し、後部フランジに平行な位置規制支承部とを備えたガイド部付き支承部材が設けられ、前記ガイド部付き支承部材と前記他方の後部フランジとの間に、防風雪板ユニットの端部の支承板が支承されていることを特徴とする請求項１〜５のいずれかに記載の防風雪柵。
【請求項７】
昇降移動される下端の防風雪板と、支柱またはこれを支持する部材とは、防風雪板ユニットの展開時に、着脱可能な連結具により連結されて、下端の防風雪板の展開姿勢が保持されていることを特徴とする請求項１〜６のいずれかに記載の防風雪柵。
【発明の詳細な説明】
【技術分野】
【０００１】
本発明は、道路の側部等に設置される防風雪柵に関し、特に、複数の防風雪板を上下方向に展開して設置したり、複数の防風雪板を上方または下方の複数箇所に折り畳みできる折り畳み式上下収納型の防風雪柵に関する。
【背景技術】
【０００２】
従来、防風雪柵としては、（Ａ）防風雪板を固定式支柱または傾倒式支柱の下部または下方に折り畳み収納する下方収納型防風雪柵（例えば、特許文献１〜５参照が知られている。
【０００３】
また、（Ｂ）防風雪板を固定式支柱または傾倒式支柱の上部に折り畳み収納する上方収納型防風雪柵（例えば、特許文献６〜８参照）が知られている。
【特許文献１】実公平６−２１９３１号公報、図２３
【特許文献２】実公平５−３８０９７号公報、図２７〜図２９
【特許文献３】実開平４−１２５１９号公報、図４
【特許文献４】特公平５−５９６４号公報、図１５〜図１７
【特許文献５】特公平５−６９９２３号公報、図２１〜図２３、図２８図１５
【特許文献６】実公平４−５５０５９号公報、図８
【特許文献７】特公平６−４１６８２号公報、図１５
【特許文献８】実公平４−５５０６０号公報、図３
【発明の開示】
【発明が解決しようとする課題】
【０００４】
前記（Ａ）の下方収納型防風雪柵の場合は、下方に収納した状態では、支柱間の上部が開放された空間になるので、景観がよくなる反面、支柱間の下部が、仕切り壁のようになるので、防雪柵の後面側で田畑等が近接している場合には、防雪柵の近傍でコンバイン（収穫脱穀併用機）等の方向転換時に、防雪柵と干渉し、防風雪柵の近傍まで確実に稲刈り機械作業を効率よくできない問題がある。
【０００５】
また、前記（Ｂ）の上方収納型防風雪柵の場合は、上方に収納した状態では、支柱間の中間部および下部に防風雪板がないため、開放された空間となるので、防雪柵の後面側で田畑等が近接している場合には、防雪柵の近傍でコンバイン（収穫脱穀併用機）等の方向転換時に、防雪柵の防風雪板と干渉することなく方向転換できるため、防風雪板の近傍まで確実に稲刈り機械作業を効率よくできる反面、景観が悪くなるという問題がある。
【０００６】
本発明は、前記（Ａ）および（Ｂ）の問題点を解決し、支柱の上部または下部に、防風雪板を折り畳み自在にした防風雪柵を提供することを目的とする。
【課題を解決するための手段】
【０００７】
前記の課題を有利に解決するために、第１発明の防風雪柵では、複数の防風雪板ユニットを支柱に沿って移動させて折り畳み可能な防風雪柵において、支柱の上部および下部の複数箇所に、着脱可能な支承金具により、複数の防風雪板ユニットを支柱の上部または下部の複数箇所に位置調整自在に折り畳み収納可能としたことを特徴とする。
また、第２発明では、第１発明の防風雪柵において、支柱の上部および下部の複数箇所の折り畳み収納部に、着脱可能な支承金具を支承するための横孔からなる支承部が設けられ、また、前記着脱自在な支承金具は、ピンまたはボルトを備えた支承金具としたことを特徴とする。
また、第３発明では、第１発明または第２発明の防風雪柵において、Ｈ形鋼からなる支柱のウエブとその両側のフランジにより形成される溝内の上部および下部の複数箇所に、複数の防風雪板ユニットの折り畳み収納部が設けられ、前記各折り畳み収納部は、一方のフランジから他方のフランジに向かって接近するように傾斜する傾斜ガイド部と、前記他方のフランジに間隔をおいてほぼ平行な長尺の位置規制支承部材を有するガイド部付き位置規制支承部材が設けられ、かつ、上部の折り畳み収納部の下端部に設けられた傾斜ガイド部は、一方のフランジに向かって下向きに傾斜する傾斜ガイド部とされ、下部の折り畳み収納部の上端部に設けられたガイド部は前記一方のフランジに向かって上向きに傾斜する傾斜ガイド部とされ、前記傾斜ガイド部付き支承部材と前記他方の支柱フランジとの間に、防風雪板ユニットの端部の支承板が支承されていることを特徴とする。
また、第４発明では、第１発明〜第３発明のいずれかの防風雪柵において、上位に位置する防風雪板ユニットの巾方向端部の横軸と、下位に位置する防風雪板ユニットの巾方向中央部の支軸とは、リンクを介して連結されていることを特徴とする。
また、第５発明では、第４発明の防風雪柵において、前記横軸は、支柱の外表面側に突出された横軸とされて、防風雪板ユニットが展開された状態では、前記横軸が支柱の後部外表面に係合されて防風雪板ユニットの展開姿勢を規制していることを特徴とする。
また、第６発明では、第１発明〜第５発明のいずれかの防風雪柵において、Ｈ形鋼からなる支柱におけるウエブとその両側のフランジにより形成される溝内で、上部の折り畳み収納部と下部の折り畳み収納部との中間部に上下方向に間隔をおいて、上部に後部フランジに向かって下向きに傾斜する上部ガイド部と、下部に後部フランジに向かって上向きに傾斜する下部ガイド部と、上部ガイド部と下部ガイド部とを接続し、後部フランジに平行な位置規制支承部とを備えたガイド部付き支承部材が設けられ、前記ガイド部付き支承部材と前記他方の後部フランジとの間に、防風雪板ユニットの端部の支承板が支承されていることを特徴とする。
第７発明では、第１発明〜第６発明のいずれかの防風雪柵において、昇降移動される下端の防風雪板と、支柱またはこれを支持する部材とは、防風雪板ユニットの展開時に、着脱可能な連結具により連結されて、下端の防風雪板の展開姿勢が保持されていることを特徴とする。
【発明の効果】
【０００８】
本発明によると、複数の防風雪板ユニットを支柱の上部あるいは下部に折り畳み可能とされているので、支柱上部に折り畳み収納されている状態から支柱下部に折り畳み収納したり、支柱下部に折り畳み収納されている状態から支柱上部に折り畳み収納することができる。そのため、上方収納を要望される設置場所・設置時期あるいは下方収納を要望される設置場所・設置時期のいずれの場合にも対応できる防風雪柵であるので、防風柵あるいは防雪柵あるいは防風雪柵として、広範な設置場所に適用できる防風雪柵とすることができる。
例えば、必要に応じ、支柱上部に折り畳み収納されている状態から支柱下部に折り畳み収納し、支柱間の上部を開放し、景観をよくすることができ、また、防雪柵の後面側で田畑等が近接している場合には、支柱下部に折り畳み収納されている状態から支柱上部に折り畳み収納して支柱間の下部を開放すると、防雪柵の近傍でコンバイン（収穫脱穀併用機）等の方向転換時に、防雪柵における防風雪板ユニットと干渉することなく、防風雪柵の近傍まで確実に稲刈り機械作業を効率よくできる等の効果がある。
また、本発明の防風雪柵は、簡単な構造の防風雪柵とされているので、上下に収納可能な防風雪柵を低コストで製作することができる。また、既存の構造の防風雪柵に対しても、容易に適用することができる。
また、請求項２のように、支柱の上部および下部の複数箇所の折り畳み収納部に、着脱可能な支承金具を支承するための横孔からなる支承部が設けられ、また、前記着脱自在な支承金具は、ピンまたはボルトを備えた支承金具としたので、簡単の構造の支承部およびこれに挿通される支承金具とすることができ、既存の構造の防風雪柵に対しても容易に安価に適用することができる。
また、請求項３の発明によると、Ｈ形鋼からなる支柱のウエブとその両側のフランジにより形成される溝内の上部および下部の複数箇所に、複数の防風雪板ユニットの折り畳み収納部が設けられ、各折り畳み収納部には、傾斜ガイド部を有する位置規制支承部材が設けられているので、容易に複数の防風雪板ユニットを支柱の上部または下部の折り畳み収納部に折り畳んで収納することができる。また、各防風雪板ユニットは位置規制支承部材により後部フランジ側に寄せる構造とされているので、位置規制支承部材が後部フランジ側に突出する分、上下方向に間隔を置く防風雪板ユニット相互を連結するリンクを短くすることができる。
また、請求項４の発明によると、上位に位置する防風雪板ユニットの巾方向端部の横軸と、下位に位置する防風雪板ユニットの巾方向中央部の支軸とは、リンクを介して連結されているので、下位に位置する防風雪板ユニットの位置により、上位に位置する防風雪板ユニットを回動して、折り畳んだり、展開させることができる。
また、請求項５の発明によると、防風雪板ユニットの巾方向端部の横軸が支柱の後部外表面側に突出された横軸とするだけで、防風雪板ユニットの展開姿勢を保持することができる。
また、請求項６の発明によると、Ｈ形鋼からなる支柱におけるウエブとその両側のフランジにより形成される溝内で、上部の折り畳み収納部と下部の折り畳み収納部との中間部に上下方向に間隔をおいて、上部に後部フランジに向かって下向きに傾斜する上部ガイド部と、下部に後部フランジに向かって上向きに傾斜する下部ガイド部と、上部ガイド部と下部ガイド部とを接続し、後部フランジに平行な位置規制支承部とを備えたガイド部付き支承部材が設けられ、前記ガイド部付き支承部材と前記他方の後部フランジとの間に、防風雪板ユニットの端部の支承板が支承されているので、防風雪板ユニットの支承板を後部フランジ側に寄せて配置することができるばかりでなく、支承板を小さくすることができ、また防風雪板ユニット相互を連結する部材（リンク）を短い寸法にすることができ、防風雪板ユニットの軽量化を図ることができる
請求項７の発明によると、昇降移動される下端の防風雪板ユニットと、支柱またはこれを支持する部材とは、防風雪板ユニットの展開時に、着脱可能な連結具により連結されて、下端の防風雪板ユニットの展開姿勢が保持されているので、下端の防風雪板ユニットを着脱可能な連結具により展開姿勢を保持することができる。
【発明を実施するための最良の形態】
【０００９】
次に本発明を図示の実施形態に基づいて説明する。
図は本発明の一実施形態を示すものであって、図１は複数の防風雪板ユニットを支柱の上部に折り畳んだ状態（左側）および複数の防風雪板ユニットを支柱の下部に折り畳んだ状態（右側）を示す概略正面図である。図２は図１の左側に示す複数の防風雪板を支柱の上部に折り畳んで収納した状態を示す概略縦断側面図である。図３は複数の防風雪板ユニットを支柱の上部に折り畳んだ状態における支柱と支承部材とボルトを備えた着脱自在な支承金具との位置関係を示す縦断側面図である。図４は図３の正面図、図５は図１の右側に示す複数の防風雪板ユニットを支柱の下部に折り畳んで収納した状態を示す概略縦断側面図、図６は複数の防風雪板ユニットを支柱の下部に折り畳んだ状態における支柱と支承部材とボルトを備えた着脱自在な支承金具との位置関係を示す縦断側面図である。図７は支複数の防風雪板を支柱の下部に折り畳んで収納した状態における防風雪板ユニット付近を拡大して示す正面図、図８は防風雪板を展開した状態を示す正面図である。
【００１０】
図９は図８の左上部付近を拡大して示す正面図、図１０は図９の縦断側面図である。図１１は図８の左下部付近を拡大して示す正面図、図１２は図１１の縦断側面図である。
【００１１】
図１３は下端の防風雪板の係止金具を支柱支持部材側に係止し、下端の防風雪板の姿勢を保持した状態を示す一部横断平面図である。
図１４（ａ）および（ｂ）は本発明において使用する支柱の一形態を示す正面図および側面図である。図１５は防風雪板ユニットを示す一部切欠正面図である。
【００１２】
先ず、本発明において使用される支柱について、図１３を参照して説明すると、Ｈ形断面の形鋼からなる支柱１の上端部に固定された滑車支持部材２に、ウエブの両側の溝に対向するように間隔をおいて複数の滑車３が横軸により回転可能に設けられ、また、前記支柱１の上端部における前部フランジ４には、隣合う支柱相互を連結梁により連結するためのボルト挿通孔６が設けられている。
【００１３】
また、前記ボルト挿通孔６の下方において、支柱１の上部の前部フランジ４および後部フランジ５には、上下方向に間隔をおいて上下一対のボルト挿通孔７，８が設けられている。前記の上下一対のボルト挿通孔７，８はそれぞれ前後のフランジ４，５に渡って挿通されるボルト等の支承金具７ａ，８ａ（図３参照）により、最上位の防風雪板ユニット３９の端部の横軸を所定位置に保持するためのボルト挿通孔７，８である。
【００１４】
また、前記のボルト挿通孔７，８から下方に下がった位置において、前後のフランジ４，５にボルト挿通孔９が設けられている。これらのボルト挿通孔９は、これらに渡って挿通されるボルト等の支承金具９ａ（図３参照）により、上部に折り畳み収納された最下端に位置する防風雪板ユニット３９を所定の上部位置に保持するためのボルト挿通孔９である。
【００１５】
また、支柱１の下部の前部フランジ４および後部フランジ５には、上下方向に間隔をおいて上下一対のボルト挿通孔１０，１１が設けられている。前記の上下一対のボルト挿通孔１０，１１はそれぞれ前後のフランジ４，５に渡って挿通されるボルト等の支承金具１０ａ，１１ａ（図６参照）により、最下位の防風雪板の端部の横軸を所定位置に保持するためのボルト挿通孔１０，１１である。
【００１６】
また、前記のボルト挿通孔１０，１１から上方に離れた位置において、前後のフランジ４，５にボルト挿通孔１２が設けられている。このボルト挿通孔１２は、これらに渡って挿通されるボルトにより、下部に折り畳み収納された最上端に位置する防風雪板ユニット３９を所定の下部位置に保持するためのボルト挿通孔１２である。
【００１７】
前部フランジ４におけるボルト挿通孔９から若干上方に変位した位置から前記上部の各ボルト挿通孔７〜８の位置に亘って、前部フランジ４の裏面側には、前記後部フランジ５に向かって接近するように上向きに傾斜する上向き傾斜ガイド部１３と、前記後部フランジ５に間隔をおいてほぼ平行な長尺の位置規制支承部１４とを備えた鋼板製の傾斜ガイド部付き上部位置規制支承部材１５が、鋼板に折り曲げ加工が施されて形成され、前部フランジ４およびウエブ１６に溶接により固定されている。また、前記位置規制支承部１４には、対向するボルト挿通孔８に挿通される位置にボルト挿通孔または位置規制支承部材１４の上端からボルト挿通孔８に対応する位置にいたるまで凹溝が設けられ、前部フランジ４および後部フランジ５のボルト挿通孔８に渡ってボルトの挿通配置が可能にされている。
【００１８】
前記傾斜ガイド部付き上部位置規制支承部材１５における位置規制支承部１４の長さは、下位に位置するボルト挿通孔９より若干上部レベルから前記上部のボルト挿通孔７付近に至る長尺の位置規制支承部１４とされて、その位置規制支承部１４と後部フランジ５との間の間隙により、複数の防風雪板ユニット３９が折り畳まれた状態において、後部フランジ５側に寄せた状態で、防風雪板ユニット３９の前後方向の位置規制を可能にしている。
【００１９】
前部フランジ４における下部のボルト挿通孔１２から若干下方に変位した位置から前記下部の各ボルト挿通孔１０〜１１の位置に亘って、前部フランジ４の裏面側には、前記後部フランジ５に向かって接近するように下向きに傾斜する下向き傾斜ガイド部１７と、前記後部フランジ５に間隔をおいてほぼ平行な長尺の位置規制支承部１８とを備えた鋼板製の傾斜ガイド部付き下部位置規制支承部材１９が、鋼板に折り曲げ加工が施されて形成され、前部フランジ４およびウエブ１６に溶接により固定されている。
【００２０】
前記傾斜ガイド部付き下部位置規制支承部材１９における前記位置規制支承部１８の長さは、上位に位置するボルト挿通孔１２より若干下部レベルから前記下部のボルト挿通孔１１付近に至る長尺の位置規制支承部１８とされて、その位置規制支承部１８と後部フランジ５との間の間隙により、複数の防風雪板ユニット３９が支柱下部に折り畳まれた状態において、後部フランジ５側に寄せた状態で、防風雪板ユニット３９の前後方向の位置規制を可能にしている。また、前記位置規制支承部１８には、対向するボルト挿通孔１０に挿通される位置にボルト挿通孔または位置規制支承部材１８の下端からボルト挿通孔１０に対応する位置にいたるまで凹溝が設けられ、前部フランジ４および後部フランジ５のボルト挿通孔１０に渡ってボルトの挿通配置が可能にされている。
【００２１】
また、支柱１には、上部位置規制支承部材１５および下部位置規制支承部材１９との間において、断面台形山形形状の複数のガイド部付き中間位置規制支承部材２０が上下方向に間隔をおいて配置されて、その基端部および側部が、それぞれ前部フランジ４およびウエブ１６に溶接により固定されている。
【００２２】
前記ガイド部付き中間位置規制支承部材２０は、図示の形態では、鋼板に折り曲げ加工が施されて台形山形形状とされ、後部フランジ５に向かって下向きに傾斜する上部傾斜ガイド部２１と、これに接続すると共に後部フランジ５に間隔をおいて平行な中間位置規制支承部２２と、これに接続すると共に前部フランジ４に向かって下向きに傾斜する下部傾斜ガイド部２３とを備えている。
【００２３】
このように、前部フランジ４に、上下部に傾斜ガイド部２１，２３を備えている中間位置規制支承部材２０ことにより、防風雪板ユニット３９が上昇または下降移動した時に、後部フランジ５側にガイドすることができ、また中間位置規制支承部２２を防風雪板ユニット３９の展開状態時における円形フランジ４７の部分に位置するようにガイド部付き中間位置規制部材２０を配置することにより、防風雪板ユニット３９の端部を中間位置規制支承部２２と後部フランジ５の内面とにより、前後方向の位置規制し、防風雪板ユニット３９の前後の揺れを防止可能にされている。
【００２４】
各ガイド部付き中間位置規制支承部材２０と後部フランジ５との間の間隙寸法は防風雪板ユニット３９の端部の寸法より若干大きくされ、防風雪板ユニット３９の端部の通過が可能にされ、しかも複数の全ての中間に位置する防風雪板ユニット３９が支柱中間部で展開された状態で、中間位置規制部材２０により後部フランジ５側に寄せた状態で、上下両端部の防風雪板ユニット３９を除く、全ての中間部に位置する防風雪板ユニット３９の前後方向の位置規制を可能にしている。
【００２５】
また、前記のようにガイド部付き上部位置規制支承部材１５およびガイド部付き中間位置規制支承部材２０並びにガイド部付き下部位置規制支承部材１９により、それぞれ展開された防風雪板ユニット３９を後部フランジ５側に寄せた状態で前後方向の位置規制を可能にしている。
【００２６】
支柱下部の前部フランジ４の前面に、前部に横断面Ｕ字状の前部縦枠２５を有する補剛フレーム２４の基端側が溶接により固定され、支柱１の下端部と補剛フレーム２４の下端部にアンカーボルト挿通孔を有する座板２９が溶接により固定され、補剛フレーム付き支柱３０を基礎部にアンカーボルトにより固定可能にされている。
【００２７】
前記補剛フレーム２４の傾斜した前部縦枠２５における各側板に、横孔２６が対向するように設けられ、前部縦枠２５の横断面Ｕ字状の溝内における下端の座板２９に、連結用縦雌ねじ孔３１を有する下端連結部材３２が溶接等により座板２９に固定されている。また、前部縦枠２５の各側板に渡って下部前面に、支承板３３が溶接等により固定されている。
【００２８】
支柱１から下部が離れるように傾斜した前部縦枠２５が、横断面Ｕ字状の溝部を有することにより、後記のウインチ支持架台３４の脚部３５を前記縦枠２５の溝内に配置可能とされ、また前記脚部３５と各側板の透孔２６に渡って挿通される支持ピン３６により、および前記脚部３５の下端部の挿通孔と下端連結部材３２の縦雌ねじ孔３１に渡ってねじ込まれるボルトにより、ウインチ支持架台３４（図２参照）の脚部３５を前部縦枠２５および座板２９に着脱可能に取付け可能にされている。
【００２９】
また、前記支承板３３によりウインチ支持架台３４の脚部３５に曲げモーメントが作用した場合に支承可能にされている。
【００３０】
前記の前部縦枠２５は、上部から下部に向かって支柱から離れるように傾斜しており、ウインチ支持架台３５の水平部に取付けられる手動式ウインチ３７（図２参照）を支柱１からより離れるようにし、手動式ウインチ３７のドラム中心軸線の延長線が前記前部縦枠２５に交差するように配置され、また、手動式ウインチ３７の回動用ハンドル３８が、ウインチ巻取りドラムを中心として前部縦枠２５は反対側に配置され、また前部縦枠２５と平行に回動可能にされて、手動式ウインチ３７の回動アーム３８の回動操作時に、広い作業空間側での昇降回動作業が可能にされ、特に、手動式ウインチ３７の回動アーム３８が、前部縦枠２５側と反対側に位置するように配置されることで、支柱１または防風雪板ユニット３９と干渉しないように構成されている。
【００３１】
また、補剛フレーム２４の下部には、支柱１における前部フランジ４の下端部前面に、横方向に突出する水平な係止部材２７が防風雪板ユニット３９に接近するように設けられ、その係止部材２７には、支柱１の前部フランジ４から横方向に離れた位置に縦係止孔２８が設けられている。前記縦係止孔２８は、最下段に位置する防風雪板ユニット３９の下部係止金具５３の先端部の係止杆５４を挿入係止して、最下段の防風雪板ユニット３９を所定の姿勢に保持するための縦孔である。
【００３２】
次に、本発明の防風雪板ユニットについて、図１４を参照して説明する。
【００３３】
図１５は本発明において使用する防風雪板ユニット３９の一実施形態を示すものであって、左右両側部に、山形鋼に加工が施されて、部材長手方向に連続した外側片４０と、部材長手方向両端部および中央部に断続した内側片４１とを備え、部材長手方向の両端部および中央部が断面Ｌ字状とされている側部枠材４２が配置され、断面Ｌ型の各側部枠材４２の内側において、その各側部枠材４２の中央部内側片４１相互が角鋼管からなる連結杆４３により連結され、かつ前記連結杆４３の両側において、端部の内側片４１と中央部の内側片４１の端部に、両端部にフランジを有する断面山形の防風雪用板体４４のフランジ端部が配置されるように両側部の側部枠材４２にわたって防風雪用板体４４が配置されてボルト・ナットにより固定され、前記連結杆４３の両側に２枚の防風雪用板体４４が配置されている。この実施形態では、前記連結杆４３の両端部に取付け板が張り出すように固定され、取付け板が防風雪用板体４４のフランジ端部に重合されて内側片４１にボルトにより固定されている。
【００３４】
前記各側部枠材４２および連結杆４３並びに防風雪用板体４４等により防風雪板４９が構成されている。前記の防風雪用板体４４は、上部側に配置される防風雪板４９では、多孔の防風雪板とされ、また下部側に配置される防風雪板では無孔の防風雪板が配置されているが、防風雪板の形態およびその配置形態は、設置条件により多孔または無孔の防風雪板が適宜配置される。
【００３５】
また、外側片４０の巾方向中央部には、支軸４５の基端部が挿通されて溶接により固定され、その支軸４５の先端側には、円筒体４６の外側の端部付近に円形フランジ４７からなる支承板を備えた支承部材４８が嵌設されている。前記の円形フランジ４７の外径は、Ｈ形鋼の支柱１の溝内に配置された傾斜ガイド部付き上部位置規制支承部材１５，傾斜ガイド部付き下部位置規制支承部材１９およびガイド部付き中間位置規制支承部材２０と後部フランジ４との隙間よりも若干小さくされ、防風雪板４９を後部フランジ５側に位置規制可能にされている。
【００３６】
前記防風雪板４９に、支軸４５および支承部材４８が付属されると共に、後記のストッパ用支軸５１あるいはリンク５２等が付属されて、防風雪板ユニット３９が構成されている。
【００３７】
前記断面Ｌ型の各側部枠材４２における外側下端部に、すなわち、防風雪板ユニット３９が展開された状態における内側片４１の下端部外側には、後部フランジ５の外表面に係合するように横方向に突出するストッパ用支軸（横軸）５１が配置されて、その基端部が溶接により固定されている。前記のストッパ用支軸５１により、支柱１の前部フランジ４側への回動が防止され、防風雪板ユニット３９の姿勢が保持される。
【００３８】
次に、防風雪板ユニット３９が展開された状態の図７〜図１２およびこの展開された状態から、各防風雪板ユニット３９を支柱１の上方または下方に折り畳み収納する場合について説明する。
【００３９】
図９に示すように、上位に位置する防風雪板ユニット３９と、下位に位置する防風雪板ユニット３９とは、前記のストッパ用支軸５１と、下位に位置する防風雪板ユニット３９の側部枠材４２における外側片４０の巾方向中央部の支軸４５とは、鋼板製等のリンク５２により連結されている。このように各支軸５１およびリンク５２によるリンク機構とし、また山形断面の防風雪用板体４４とし、内側片４１は防風雪用板体４４の山部の位置で断続されてないので、リンク機構を折り畳むように防風雪板ユニット３９を近接するように重ねた場合、上位に位置する防風雪用板体４４の山部を下位に位置する防風雪用板体４４の谷溝内に位置させることができるため、近接または接触した重ね寸法を小さい寸法にして複数の防風雪板ユニット３９を折り畳み収納することができる。
【００４０】
また、図１１〜図１３に示すように、最下端部に位置する防風雪板ユニット３９におけるストッパ用支軸５１は、支柱後部フランジ５に係合しない短い張り出し寸法とされ、前記ストッパ用支軸５１には、係止金具５３の基端部が回動可能に支持され、前記係止金具５３の先端部には、ほぼＬ字状の係止杆５４が固定され、防風雪板ユニット３９が展開された状態において、最下端の防風雪板ユニット３９を回動すると共に、前記係止金具５３を回動して、前記係止杆５４を前記支柱１側の縦係止孔２８に着脱可能に係止し、前記係止金具５３とストッパ用支軸５１とにより、最下端部の防風雪板ユニット３９の展開姿勢を保持するように構成されている。
【００４１】
また、防風雪板ユニット３９が展開された状態における最上位に位置する防風雪板ユニット３９における支承部材４８および最下端部に位置する防風雪板ユニット３９における支承部材４８は、支柱１の前部フランジ４および後部フランジ５に渡って配置されるボルトまたはピンにより位置保持され、かつ、ストッパ用支軸５１を含むリンク機構を介して連結され、係止杆５４が縦係止孔２８に係止されていることにより、すべての防風雪板ユニット３９は、その姿勢が保持される。
【００４２】
図７〜図１２に示すように、前記のように構成された支柱１が道路側部に沿って間隔をおいて立設され、隣り合う支柱１間に各防風雪板ユニット３９が上下方向に間隔をおいて平行に配置され、各防風雪板ユニット３９の端部の支承部材４８における円形フランジ４７が、Ｈ形鋼の支柱１の溝内に配置された傾斜ガイド部付き上部位置規制支承部材１５，傾斜ガイド部付き下部位置規制支承部材１９およびガイド部付き中間位置規制支承部材２０と後部フランジ５との隙間に位置して、前後方向に位置規制され、また、上位の防風雪板ユニット３９におけるストッパ用支軸５１と下位に位置する防風雪板ユニット３９における中央部の支軸４５とが、リンク５２を介して連結され、かつ各防風雪板ユニット５２におけるストッパ支軸５１が支柱１の後部フランジ５の後面に係合して、各防風雪板ユニット３９の下部が前部フランジ４側に回動するのを防止されて、最上位の防風雪板ユニット３９の円筒体４６が、その上下部において各支柱１の前部フランジ４と後部フランジ５の各ボルト挿通孔７，８に渡って挿通されたボルトまたはピン７ａ，８ａおよび後部フランジ５の裏面で前記ボルト７ａ，８ａにねじ込まれたナットとからなる着脱自在な支承金具７ａ，８ａにより、最上位の防風雪板ユニット３９は所定の位置に保持されている。
【００４３】
また、最下端部の防風雪板ユニット３９における係止金具５３先端の係止杆５４が、縦係止孔２８に係止されて、最下端部の防風雪板ユニット３９の回動が防止され、また、最下端部の防風雪板ユニット３９における円筒体（筒状体）４６が、前部フランジ４および後部フランジ５の各ボルト挿通孔１０，１１に渡って挿通されたボルト（またはピン）１０ａ，１１ａおよび後部フランジ５の裏面で前記各ボルト１０ａ，１１ａにねじ込まれたナットからなる着脱自在な支承金具１０ａ，１１ａにより、最下位の防風雪板ユニット３９は所定の位置に保持され、この状態で各防風雪板ユニット３９の端部ストッパ用支軸５１が後部フランジ５の後面に係合していることにより、各防風雪板ユニット３９の回動が防止されている。
【００４４】
（展開された状態から上方に折り畳み収納する場合について）
前記のように防風雪板ユニット３９が展開されて、防風雪柵として機能している状態から、各防風雪板ユニット３９を支柱上部に折り畳み収納する場合には、最下端部の防風雪板ユニット３９における各係止杆５４を支柱１側の縦係止孔２８から外し、また各支柱１の前部フランジ４および後部フランジ５に挿通されているボルト・ナットを取り外し、最下端部の防風雪板ユニット３９における各円筒体４６に、各支柱１の下部に着脱可能に固定された手動式ウインチ３７から繰り出された各巻上ロープ５５を支柱１上部の滑車３を介して連結する。
【００４５】
なお、前記手動式ウインチ３７は、ウインチ支持架台３４にボルト等により着脱可能に取付けられ、ウインチ支持架台３４は、その基端側縦部分の上部が、前部縦枠２５の各横孔２６間に配置されて、前記基端側縦部分の上部の横孔と各横孔２６とに渡って挿通されたボルトおよびこれに装着されるナットにより着脱可能に取付けられ、また各ウインチ支持架台３４の基端側下部は、下端連結部材３２にボルトにより着脱自在に連結され、さらにウインチ支持架台３４の基端側縦部分の中間部は支承板３４または前部縦枠２５の溝底板等により支承されている。前記のようにするために、ウインチ支持架台３４の基端側縦部分は支承板３４の上から前部縦枠２５の溝内に差込可能に構成されている。そして、回動用ハンドル３８を巻上方向に回動して、前記各手動式ウインチ３７を巻上運転して、最下端に位置する防風雪板ユニット３９を上昇移動させ、順次、最下端部の防風雪板ユニット３９にリンク機構を折り畳むように上位の防風雪板ユニット３９を積み重ねて上昇移動させる。
【００４６】
この時、下位に位置する防風雪板ユニット３９における端部支承部材４８の円形フランジ４７は、傾斜ガイド部付き上部位置規制支承部材１５の傾斜ガイド部により後部フランジ５側にガイドされて上昇移動し、傾斜ガイド部付き上部位置規制支承部材１５と後部フランジ５の内面とにより位置規制された状態で、折り畳み収納される（図２〜図４参照）。
【００４７】
次いで、最下端部の防風雪板ユニット３９における円筒体４６が支柱上部のボルト挿通孔９より高レベル位置に位置した状態で、前部フランジ４および後部フランジ５のボルト挿通孔９に渡ってボルト等の支承金具９ａを挿通すると共にこれにナットを後部フランジ５の後面側でねじ込む。この状態で、手動式ウインチ３７を若干巻き下げ運転して、最下端部の防風雪板ユニット３９を前記ボルト等の支承金具９ａにより支承させて、各手動式ウインチ３７および巻上ロープ５５を取り外す。これらの逆手順により、上方に折り畳み収納された状態から各防風雪板ユニット３９を展開した状態にすることができる。
【００４８】
（展開された状態から下方に折り畳み収納する場合について）
前記のように防風雪板ユニット３９が展開されて、防風雪柵として機能している状態から、各防風雪板ユニット３９を支柱下部に折り畳み収納する場合には、最上端部の防風雪板ユニット３９における支承部材４８に手動式ウインチ３７から繰り出されている巻上ロープ５５を連結し、巻き上げロープ５５に防風雪板ユニット３９を支持させる。また、最下端部位置の防風雪板ユニット３９における各係止杆５４を支柱１側の縦係止孔２８から外しておく。
【００４９】
この状態で、最上部の防風雪板ユニット３９を支持していた各支柱１の前部フランジ４および後部フランジ５のボルト孔７，８に挿通されているボルト・ナット等の支承金具７ａ，８ａを取り外し、手動式ウインチ３７を巻き下げ運転する。
【００５０】
前記各手動式ウインチ３７を巻下運転して、最上端に位置する防風雪板ユニット３９を下降移動させ、順次、リンク機構を折り畳むようにして最下位の防風雪板ユニット３９に近接して積み重ねるように下降移動させる。
【００５１】
この時、上位に位置する防風雪板ユニット３９における端部支承部材４８の円形フランジ４７は、傾斜ガイド部付き下部位置規制支承部材１９の傾斜ガイド部により後部フランジ５側にガイドされて下降移動し、傾斜ガイド部付き下部位置規制支承部材１９と後部フランジ５の内面とにより位置規制された状態で、折り畳み収納される（図５〜図７）。
【００５２】
最下端部の防風雪板ユニット３９における円筒体４６が支柱下部のボルト挿通孔１２より低レベル位置に位置し、手動式ウインチ３７の巻き下げ運転が終了したら、前部フランジ４および後部フランジ５のボルト挿通孔１２に渡ってボルト等の支承金具１２ａを挿通すると共にナットを後部フランジ５の後面側でねじ込む。そして、手動式ウインチ３７および巻上ロープ５５を取り外す。これらの逆手順により、下方に折り畳み収納された状態から各防風雪板ユニット３９を展開した状態にすることができる。
【００５３】
次に、各防風雪板ユニット３９が展開状態あるいは下方折り畳み収納状態で、道路側部に立設されている防風雪柵に田畑が近接している状態では、田畑の端部でコンバインなどの農業機械を転回する場合等では、農業機械が防風雪板ユニット３９と干渉する恐れがあり、このような場合に、一時的に、上方折り畳み収納状態に移し替えしておくと、農業機械と防風雪板ユニット３９とが干渉するおそれがなく便利である。展開状態から上方収納状態への移行は前記の通りであるので、ここでは、下方収納状態から上方収納状態にする場合について主に説明する。
【００５４】
（下方収納状態から上方収納状態への移し変え変更について）
各防風雪板ユニット３９が支柱下部に折り畳まれた状態から、各防風雪板ユニット３９を支柱上部に折り畳まれた状態にするには、ウインチ支持架台３４を支柱１の前部縦枠２５に取付けると共にそのウインチ支持架台３４に手動式ウインチ３７を取付け、次いで前部フランジ４および後部フランジ５のボルト挿通孔１０，１２に装着されているボルト・ナット等の支承金具１０ａ，１２ａを取り外し、最下端部の防風雪板ユニット３９における支承部材４８に、手動式ウインチ３７から繰り出されている巻上ロープ５５を滑車３を介して連結し、手動式ウインチ３７を巻上運転して、各防風雪板ユニット３９を上昇移動させ、最上位に位置する防風雪板ユニット３９における円筒体４６が、支柱１上部のボルト挿通孔７，８の間に位置した状態で、これらのボルト挿通孔に渡ってボルトを挿通すると共にナット等の支承金具７ａ，８ａを装着する。
【００５５】
また最下位の防風雪板ユニット３９における円筒体４６が上部のボルト挿通孔９よりも上部レベルに位置した状態で、前後のフランジ４，５のボルト挿通孔９にボルトを挿通すると共にナットをねじ込み支承金具９ａを装着して、次いで手動式ウインチ３７を若干巻き下げ運転して、最下端部の防風雪板ユニット３９における円筒体４６をボルト等の支承金具９ａに支承させ、巻上ロープ５５および手動式ウインチ３７並びにウインチ支持架台３４を取り外すようにすればよい。
【００５６】
（上方収納状態から下方収納状態への移し替え変更について）
次に、上方折り畳み収納状態から、観光季節の到来により、一時的に、下方折り畳み収納状態に移し替える場合について説明する。
【００５７】
各防風雪板ユニット３９が支柱上部に折り畳まれた状態から、各防風雪板ユニット３９を支柱下部に折り畳まれた状態にするには、ウインチ支持架台３４を支柱１に取付けると共にそのウインチ支持架台３４に手動式ウインチ３７を取付け、手動式ウインチ３７から繰り出されている巻上ロープ５５を滑車３を介して最下部の防風雪板ユニット３９における円筒体４６に連結し、防風雪板ユニット３９を巻上ロープ５５に支持させる。次いで、前部フランジ４および後部フランジ５のボルト挿通孔９および７，８に装着されているボルト・ナット等の支承金具９ａ，７ａ，８ａを取り外し、手動式ウインチ３７を巻下げ運転して、各防風雪板ユニット３９を下降移動させ、最下位に位置する防風雪板ユニット３９における円筒体４６が、支柱１下部のボルト挿通孔１０，１１の間に位置した状態で、これらのボルト挿通孔に渡って挿通されるボルト・ナット等の支承金具１０ａ，１１ａを装着する。
【００５８】
また、最上位の防風雪板ユニット３９における円筒体４６が下部のボルト挿通孔１２よりも下部レベルに位置した状態で、前後のフランジ４，５のボルト挿通孔１２にボルト１２ａを挿通すると共にナットをねじ込み、次いで手動式ウインチ３７を若干巻き下げ運転して、最下端部の防風雪板ユニット３９における円筒体４６をボルト１１ａに支承させ、巻上ロープ５５および手動式ウインチ３７並びにウインチ支持架台３４を取り外すようにすればよい。
【００５９】
なお、下降収納状態から上方収納状態または、上方収納状態から下方収納状態に移し変える場合、それぞれ、傾斜ガイド部付き上部位置規制支承部材１５または傾斜ガイド部付き下部位置規制支承部材１９により、各防風雪板ユニット３９は、ガイドされると共に位置規制された状態で所定の位置に収納される。
【００６０】
前記実施形態では、吹き止め形式の防風雪柵に適用したが、本発明を実施する場合、防風雪板ユニットを傾斜した吹き払い形式の防風雪柵に適用してもよく、また、リンク機構としては、両端部に環部を有する可撓製条体によるリンクを使用した他の形式のリンク機構でもよい。
【００６１】
本発明を実施する場合、支柱上部を傾倒式としてもよく、この場合には、支柱上部杆を連結している連結部材５６を適宜取り外せばよく、補剛フレーム２４の前端部にボルト孔を設けて、適宜補剛フレーム２４に渡ってボルトにより取付ければよい。
【００６２】
前記実施形態では、傾斜ガイド付き上部位置規制支承部材１５および複数のガイド部付き中間位置規制支承部材２０並びに傾斜ガイド付き下部位置規制支承部材１９を支柱１の上下方向に間隔をおいて配置する形態を示したが、本発明を実施する場合、上部の位置規制支承部１４と複数の中間位置規制支承部２２と下部の位置規制支承部１８を、連続した帯状鋼板１枚による連続した位置規制支承部としてもよく、この場合には、帯状鋼板の巾方向内側端部を支柱１のウエブ１６に溶接等により固定したり、帯状鋼板の中間部の複数箇所に鋼製脚部を固定し、その脚部を前部フランジ４に溶接により固定するようにするとよい。このようにすると、傾斜したガイド部１３，２１，１７を必要としないので、位置規制支承部材の構成を単純化できる。
【図面の簡単な説明】
【００６３】
【図１】複数の防風雪板ユニットを支柱の上部に折り畳んだ状態（左側）および複数の防風雪板ユニットを支柱の下部に折り畳んだ状態（右側）を示す概略正面図である。
【図２】図１の左側に示す複数の防風雪板を支柱の上部に折り畳んで収納した状態を示す概略縦断側面図である。
【図３】複数の防風雪板ユニットを支柱の上部に折り畳んだ状態における支柱と支承部材とボルトを備えた着脱自在な支承金具との位置関係を示す縦断側面図である。
【図４】図３の正面図である。
【図５】図１の右側に示す複数の防風雪板ユニットを支柱の下部に折り畳んで収納した状態を示す概略縦断側面図である。
【図６】複数の防風雪板ユニットを支柱の下部に折り畳んだ状態における支柱と支承部材とボルトを備えた着脱自在な支承金具との位置関係を示す縦断側面図である。
【図７】支複数の防風雪板を支柱の下部に折り畳んで収納した状態における防風雪板ユニット付近を拡大して示す正面図である。
【図８】防風雪板を展開した状態を示す正面図である。
【図９】図８の左上部付近を拡大して示す正面図である。
【図１０】図９の縦断側面図である。
【図１１】図８の左下部付近を拡大して示す正面図である。
【図１２】図１１の縦断側面図である。
【図１３】下端の防風雪板の係止金具を支柱支持部材側に係止し、下端の防風雪板の姿勢を保持した状態を示す一部横断平面図である。
【図１４】本発明において使用する支柱の一形態を示すものであって、（ａ）は正面図、（ｂ）は側面図である。
【図１５】防風雪板ユニットを示す一部切欠正面図である。
【符号の説明】
【００６４】
１  支柱
２  滑車支持部材
３  滑車
４  前部フランジ
５  後部フランジ
６  ボルト挿通孔
７  ボルト挿通孔
８  ボルト挿通孔
９  ボルト挿通孔
１０  ボルト挿通孔
１１  ボルト挿通孔
１２  ボルト挿通孔
７ａ〜１２ａ  支承金具
１３  上向き傾斜ガイド部
１４  位置規制支承部
１５  傾斜ガイド部付き上部位置規制支承部材
１６  ウエブ
１７  下向き傾斜ガイド部
１８  位置規制支承部
１９  傾斜ガイド部付き下部位置規制支承部材
２０  ガイド部付き中間位置規制支承部材
２１  上部ガイド部
２２  中間位置規制支承部
２３  下部ガイド部
２４  補剛フレーム
２５  前部縦枠
２６  横孔
２７  係止部材
２８  縦係止孔
２９  座板
３０  補剛フレーム付き支柱
３１  縦雌ねじ孔
３２  下端連結部材
３３  支承板
３４  ウインチ支持架台
３５  脚部
３６  支持ピン
３７  手動式ウインチ
３８  回動用ハンドル
３９  防風雪板ユニット
４０  （連続した）外側片
４１  （断続した）内側片
４２  側部枠材
４３  連結杆
４４  防風雪用板体
４５  支軸
４６  円筒体
４７  円形フランジ
４８  支承部材
４９  防風雪板
５１  ストッパ用支軸（横軸）
５２  リンク
５３  係止金具
５４  係止杆
５５  巻上ロープ
５６  連結部材
【図１】
2005163500.tif 000003
【図２】
2005163500.tif 000004
【図３】
2005163500.tif 000005
【図４】
2005163500.tif 000006
【図５】
2005163500.tif 000007
【図６】
2005163500.tif 000008
【図７】
2005163500.tif 000009
【図８】
2005163500.tif 000010
【図９】
2005163500.tif 000011
【図１０】
2005163500.tif 000012
【図１１】
2005163500.tif 000013
【図１２】
2005163500.tif 000014
【図１３】
2005163500.tif 000015
【図１４】
2005163500.tif 000016
【図１５】
2005163500.tif 000017